(57)【要約】【課題】ユーザ自身が使用するＩＰ電話端末の変更を自由に行える方式を提供する。【解決手段】ユーザからＨＭＩ端末を介して、使用したいＩＰ電話端末の端末識別情報とそのＩＰ電話端末に割り当てられている内線番号の情報が与えられたときに、オペレーションシステムでは、先ず、このオペレーションシステムとＩＰ電話端末を収容する伝送装置に登録されているＩＰ電話端末の端末識別情報を仮端末識別情報に変更する。その後、オペレーションシステムは、このオペレーションシステムと伝送装置に登録されているその内線番号を使用しているＩＰ電話端末の端末識別情報をユーザから指定された端末識別情報に変更する。これにより、ユーザに割り当てられた内線番号を変更せずに、使用するＩＰ電話端末を変更することができる【選択図】図１
2008048117.tif 000002
【特許請求の範囲】
【請求項１】
複数のＩＰ電話端末を収容して接続制御を行う伝送装置と該伝送装置に対してＩＰ電話端末の登録及び変更の情報を管理するオペレーションシステムを備えたネットワークシステムにおけるＩＰ電話端末の番号管理方法であって、
ユーザから使用したいＩＰ電話端末の端末識別情報と該ＩＰ電話端末に割り当てられている内線番号の情報が与えられたときに、該ＩＰ電話端末の端末識別情報を仮端末識別情報に変更する処理と、
前記内線番号を使用しているＩＰ電話端末の端末識別情報を前記ユーザから指定された端末識別情報に変更する処理とを、
順次行うことによって前記ユーザに割り当てられた内線番号を変更せずに使用するＩＰ電話端末を変更することを特徴とするＩＰ電話端末の番号管理方法。
【発明の詳細な説明】
【技術分野】
【０００１】
本発明は、ＩＰ（Internet  Protocol）電話端末の番号管理方法に関するものである。
【背景技術】
【０００２】
図２は、ＩＰ電話端末を収容するネットワークシステムの構成図である。
このネットワークシステムは、複数のＩＰ電話端末１，２，…，ｎの接続制御を行う伝送装置１０と、この伝送装置１０に対してＩＰ電話端末の登録や変更等の情報を管理するオペレーションシステム２０と、このオペレーションシステム２０に対してオペレータが各種の操作を行うためのＨＭＩ(Human  Machine  Interface)端末３０で構成されている。
【０００３】
オペレーションシステム２０は、ＨＭＩ端末３０との間でコマンド等の送受信を行うための送受信部２１と、このＨＭＩ端末３０からの指示に従って伝送装置１０を制御する制御部２２と、端末情報や内線番号とユーザの割付情報を記憶するデータ部２３で構成されている。
【０００４】
オペレーションシステム２０においては、ＨＭＩ端末３０によって操作された情報に基づいてＩＰ電話端末１〜ｎが監視されるようになっている。また、オペレーションシステム２０において、管理対象のＩＰ電話端末１〜ｎには、部門管理者がユーザ毎に予め決められた内線番号を登録し、ユーザが自身に設定されている内線番号で使用するＩＰ電話端末を伝送装置１０に対し設定する必要があった。
【０００５】
ユーザが現在使用しているＩＰ電話端末を、別のＩＰ電話端末に変更する場合、そのＩＰ電話端末とユーザに設定された内線番号を管理情報から削除し、使用したい（変更後の）ＩＰ電話端末の内線番号及び使用したい（変更後の）ＩＰ電話端末データを再度登録する必要がある。しかし、ユーザ自身には、自分が使用可能なＩＰ電話端末の内線番号の登録権限がないため、その再登録操作は、ユーザ自身では実施できず、当該ユーザが所属する部門管理者が実施する必要がある。
【０００６】
例えば、図２のネットワークシステムにおいて、ユーザが使用するＩＰ電話端末の変更は、次のような手順で行われていた。なお、ここでは、ＩＰ電話端末１からＩＰ電話端末２に変更する場合を説明する。
【０００７】
（手順１）  ユーザが、ＨＭＩ端末３０を使用してオペレーションシステム２０に対し、現在ユーザに設定されているＩＰ電話端末１の削除を行う制御要求を送信する。
【０００８】
（手順２）  オペレーションシステム２０の送受信部２１は、ＨＭＩ端末３０から送られてきた削除の制御要求を受信し、制御部２２に対して指定されたＩＰ電話端末２の削除を行う。
【０００９】
（手順３）  制御部２２の端末情報として指定されたＩＰ電話端末１がデータ部２３に登録されている場合、制御部２２は、伝送装置１０に対してこのＩＰ電話端末１の削除を行う。
【００１０】
（手順４）  制御部２２は、データ部２３の端末情報からユーザが登録したＩＰ電話端末１のデータの削除を行う。
【００１１】
（手順５）  部門管理者は、ＨＭＩ端末３０を使用してオペレーションシステム２０に対し、ユーザとＩＰ電話端末の内線番号の割付データの削除を行う制御要求を送信する。
【００１２】
（手順６）  オペレーションシステム２０の送受信部２１は、ＨＭＩ端末３０から送られてきた解除の制御要求を受信し、制御部２２に対して指定された内線番号とユーザの割付情報の解除要求を行う。
【００１３】
（手順７）  制御部２２は、データ部２３の内線番号とユーザの割付情報から当該データの解除を行う。
【００１４】
（手順８）  部門管理者は、ＨＭＩ端末３０を使用してオペレーションシステム２０に対し、新たに使用したいＩＰ電話端末２の内線番号をユーザに割り付けるための制御要求を送信する。
【００１５】
（手順９）  オペレーションシステム２０の送受信部２１は、ＨＭＩ端末３０から送られてきた割付の制御要求を受信し、制御部２２に対して内線番号とユーザの割付設定要求を行う。
【００１６】
（手順１０）  制御部２２は、データ部２３の内線番号とユーザの割付情報に、割付設定要求された内線番号とユーザの設定を行う。
【００１７】
（手順１１）  ユーザが、ＨＭＩ端末３０を使用してオペレーションシステム２０に対し、ＩＰ電話端末２の登録を行う制御要求を送信する。
【００１８】
（手順１２）  オペレーションシステム２０の送受信部２１は、ＨＭＩ端末３０から送られてきた登録の制御要求を受信し、制御部２２は受信された制御要求に従って伝送装置１０に、ＩＰ電話端末２の登録を行う。
【００１９】
（手順１３）  制御部２２は、指定されたＩＰ電話端末２の端末情報をデータ部２３に登録する。
【００２０】
【特許文献１】特開平１１−４１２３６号公報
【発明の開示】
【発明が解決しようとする課題】
【００２１】
前記ネットワークシステムでは、ユーザが使用するＩＰ電話端末の変更は、当該ユーザが所属する部門管理者と、ユーザ自身による削除と登録操作を実施する必要がある。従って、フリーワークエリアに設置されているＩＰ電話端末を使用する場合、ユーザに対して予め使用するＩＰ電話端末を決められないため、部門管理者とユーザでの端末変更（削除／登録）操作が必要となり、ユーザ自身が自由に使用端末を変更することが出来ないという不便さがあった。
【００２２】
本発明は、ユーザ自身が使用するＩＰ電話端末の変更を自由に行える方式を提供することにより、フリーワークエリアでのＩＰ電話端末の使用をユーザ自身による１回の操作で可能にすることを目的としている。
【課題を解決するための手段】
【００２３】
本発明は、複数のＩＰ電話端末を収容して接続制御を行う伝送装置と該伝送装置に対してＩＰ電話端末の登録及び変更の情報を管理するオペレーションシステムを備えたネットワークシステムにおけるＩＰ電話端末の番号管理方法において、ユーザから使用したいＩＰ電話端末の端末識別情報と該ＩＰ電話端末に割り当てられている内線番号の情報が与えられたときに、該ＩＰ電話端末の端末識別情報を仮端末識別情報に変更する処理と、前記内線番号を使用しているＩＰ電話端末の端末識別情報を前記ユーザから指定された端末識別情報に変更する処理を、順次行うことによって前記ユーザに割り当てられた内線番号を変更せずに使用するＩＰ電話端末を変更することを特徴としている。
【発明の効果】
【００２４】
本発明では、ユーザから使用したいＩＰ電話端末の端末識別情報とそのＩＰ電話端末に割り当てられている内線番号の情報が与えられたときに、先ず、ＩＰ電話端末の端末識別情報を仮端末識別情報に変更し、その後、その内線番号を使用しているＩＰ電話端末の端末識別情報をユーザから指定された端末識別情報に変更するようにしている。これにより、ユーザに割り当てられた内線番号を変更せずに、使用するＩＰ電話端末を変更することができるという効果がある。
【発明を実施するための最良の形態】
【００２５】
この発明の前記並びにその他の目的と新規な特徴は、次の好ましい実施例の説明を添付図面と照らし合わせて読むと、より完全に明らかになるであろう。但し、図面は、もっぱら解説のためのものであって、この発明の範囲を限定するものではない。
【実施例１】
【００２６】
図１は、本発明の実施例を示すＩＰ電話端末の番号管理方法のフローチャートである。なお、このＩＰ電話端末の番号管理方法に対応するネットワークシステムの構成は、図２と同様である。
【００２７】
即ち、このネットワークシステムは、複数のＩＰ電話端末１，２，…，ｎの接続制御を行う伝送装置１０と、この伝送装置１０に対してＩＰ電話端末の登録や変更等の情報を管理するオペレーションシステム２０と、このオペレーションシステム２０に対してオペレータやユーザが各種の操作を行うためのＨＭＩ端末３０で構成されている。更に、オペレーションシステム２０は、ＨＭＩ端末３０との間でコマンド等の送受信を行うための送受信部２１と、このＨＭＩ端末３０からの指示に従って伝送装置１０を制御する制御部２２と、端末情報や内線番号とユーザの割付情報を記憶するデータ部２３で構成されている。なお、ユーザに割り当てられているＩＰ電話端末の端末ＩＤ（識別情報）と使用する内線番号は、各々一意に識別可能な値でデータ部２３に登録されると共に、伝送装置１０にも登録されるようになっている。
【００２８】
以下、これらの図１及び図２を参照しつつ、ユーザがＩＰ電話端末１からＩＰ電話端末２に変更する場合を例に、ＩＰ電話端末の番号管理方法を説明する。
【００２９】
（ステップＳ１）  部門管理者は、ＨＭＩ端末３０を使用してオペレーションシステム２０に対し、使用可能なＩＰ電話端末の一覧と各ＩＰ電話端末を一意に識別するための内線番号及び端末ＩＤを、データ部２３と伝送装置１０に登録するための制御要求を送信し、ＩＰ電話端末１〜ｎの事前登録を行う。
【００３０】
（ステップＳ２）  ユーザは、ＨＭＩ端末３０を使用してオペレーションシステム２０に対し、使用したいＩＰ電話端末１の端末ＩＤと現在ユーザに割り当てられている内線番号の情報を制御要求として送信する。オペレーションシステム２０の送受信部２１では、ＨＭＩ端末３０から送信された制御要求を受信する。
【００３１】
（ステップＳ３）  オペレーションシステム２０の制御部２２では、データ部２３を参照して、受信した端末ＩＤの値を元に伝送装置１０に接続されているユーザが使用したいＩＰ電話端末の内線番号を決定する。更に制御部２２は、伝送装置１０に対して、その内線番号を有するＩＰ電話端末（ＩＰ電話端末２）の端末ＩＤを仮端末ＩＤ（一意に識別可能な値）に変更する。
【００３２】
（ステップＳ４）  制御部２２は、データ部２３で保持しているＩＰ電話端末２の端末ＩＤをステップＳ３で設定した仮端末ＩＤに変更する。
【００３３】
（ステップＳ５）  制御部２２は、更に、受信した内線番号を元に現在ユーザに割り当てられているＩＰ電話端末１の端末ＩＤの変更を、伝送装置１０に対して行う。なお、変更後の端末ＩＤは、ステップＳ２において、ＨＭＩ端末３０を介してユーザから指定された値である。
【００３４】
（ステップＳ６）  制御部２２は、データ部２３で保持しているＩＰ電話端末１の端末ＩＤをステップＳ５で変更した端末ＩＤに変更する。
【００３５】
以上のように、本実施例のＩＰ電話端末の番号管理方法では、予め決められたＩＰ電話端末以外の端末をユーザが使用する場合、部門管理者が内線番号の割付を変更する必要がなく、ユーザ自身により１回の操作でこのユーザに割り当てられている内線番号を変えずに使用する端末を変更することが可能になる。これにより、利便性が高まるという利点がある。
【図面の簡単な説明】
【００３６】
【図１】本発明の実施例を示すＩＰ電話端末の番号管理方法のフローチャートである。
【図２】ＩＰ電話端末を収容するネットワークシステムの構成図である。
【符号の説明】
【００３７】
１〜ｎ    ＩＰ電話端末
１０    伝送装置
２０    オペレーションシステム
２１    送受信部
２２    制御部
２３    データ部
３０    ＨＭＩ端末
【図１】
2008048117.tif 000003
【図２】
2008048117.tif 000004